(57)【要約】本発明は、ｎ≧２および１≦ｉ≦ｎとしてｎ個のローカル電力ネットワーク（ＤＥＮｉ）への電力供給を管理するためのシステムにおいて、各ローカル電力ネットワーク（ＤＥＮｉ）は、少なくとも１つのクライアントデバイス（ＤＣＬＤＥＮｉ）を含む、システムに関する。前記システムは、各ネットワーク（ＤＥＮｉ）に接続された切替え装置（ＣＯＭＤＥＮｉ）と、電力貯蔵手段（ＰＳＤＤＥＮｉ）と、切替え装置（ＣＯＭＤＥＮｉ）を介してｎ個のネットワーク（ＤＥＮｉ）に電力を供給するためのステーション（ＳＵＢ）であって、電力供給システム（ＰＳＯ）から電力を受け取る、ステーション（ＳＵＢ）とを備え、ステーション（ＳＵＢ）は、各切替え装置（ＣＯＭＤＥＮｉ）に対して、電力貯蔵手段（ＰＳＤＤＥＮｉ）が前記ネットワーク（ＤＥＮｉ）に電力を供給する第１のモード、またはステーション（ＳＵＢ）が前記ネットワーク（ＤＥＮｉ）および前記電力貯蔵手段（ＰＳＤＤＥＮｉ）に電力を同時に供給する第２のモードを決定し、割り振るように構成される。
2014512157.tif 000002
【特許請求の範囲】
【請求項１】
ｎ≧２および１≦ｉ≦ｎとしてｎ個のローカルエネルギーネットワーク（ＤＥＮｉ）へのエネルギー供給を管理するためのシステムであって、各ローカルエネルギーネットワーク（ＤＥＮｉ）は、前記ネットワーク（ＤＥＮｉ）を流れるエネルギーを消費することができる少なくとも１つのクライアントデバイス（ＤＣＬＤＥＮｉ）を備え、前記システムは、各ネットワーク（ＤＥＮｉ）に接続された切替え装置（ＣＯＭＤＥＮｉ）と、前記切替え装置（ＣＯＭＤＥＮｉ）を介して前記ネットワーク（ＤＥＮｉ）に接続されたエネルギー貯蔵手段（ＰＳＤＤＥＮｉ）と、前記ネットワークに関連する前記切替え装置（ＣＯＭＤＥＮｉ）を介して前記ｎ個のネットワーク（ＤＥＮｉ）にエネルギーを供給するためのステーション（ＳＵＢ）であって、供給システム（ＰＳＯ）からエネルギーを受け取る、ステーション（ＳＵＢ）と、を備え、前記ステーション（ＳＵＢ）は、各切替え装置（ＣＯＭＤＥＮｉ）に対して、
−  前記エネルギー貯蔵手段（ＰＳＤＤＥＮｉ）が前記ネットワーク（ＤＥＮｉ）にエネルギーを供給する第１のモード（ＤＲＡＩＮ）、または
−  前記ステーション（ＳＵＢ）が前記ネットワーク（ＤＥＮｉ）および前記エネルギー貯蔵手段（ＰＳＤＤＥＮｉ）にエネルギーを同時に供給する第２のモード（ＣＨＡＲＧＥ）
を決定し、割り振るように構成される、前記システム。
【請求項２】
前記ステーション（ＳＵＢ）は、前記ローカルネットワーク（ＤＥＮｉ）に接続された前記エネルギー貯蔵手段（ＰＳＤＤＥＮｉ）に蓄えられたエネルギーのレベルに基づいて、または前記貯蔵手段（ＰＳＤＤＥＮｉ）のレベルでエネルギーの不足が起こらない確率に基づいて、ローカルネットワーク（ＤＥＮｉ）をランク付けするための手段を備える、請求項１に記載のシステム。
【請求項３】
前記ステーション（ＳＵＢ）は、１≦ｋ≦ＫとしてＫ個の連続する期間Ｔｋを考慮し、各切替え装置（ＣＯＭＤＥＮｉ）は、各期間Ｔｋの終わりに前記エネルギー貯蔵手段（ＰＳＤＤＥＮｉ）に蓄えられたエネルギーの第１のレベル（ＣＳＬＤＥＮｉ，Ｔｋ）を前記ステーション（ＳＵＢ）に送信するための手段を備え、前記ステーション（ＳＵＢ）は、前記期間Ｔｋの終わりに、前記第１のレベル（ＣＳＬＤＥＮｉ，Ｔｋ）にしたがって、期間Ｔｋ＋１のために前記切替え装置（ＣＯＭＤＥＮｉ）に前記第２のモード（ＣＨＡＲＧＥ）を割り振る優先順位を定義する緊急性インデックス（ＥＩＤＥＮｉ）を決定する、請求項１または２に記載のシステム。
【請求項４】
前記期間Ｔｋの終わりに、前記ステーション（ＳＵＢ）は、１≦ｊ≦ｎとしてローカルネットワーク（ＨＤＥＮｊ）の順序付きリストを構築するように緊急性インデックス（ＥＩＤＥＮｉ）の昇順に前記ローカルネットワーク（ＤＥＮｉ）をランク付けし、前記順序付きリストの要素（ＨＤＥＮｊ）は、１≦ｊ≦ｎ−１に対してＥＩＨＤＥＮｊ≦ＥＩＨＤＥＮｊ＋１であり、１≦ｉ≦ｎとしてＥＩＨＤＥＮＮ＝Ｍａｘ（ＥＩＤＥＮｉ）であるような緊急性インデックス（ＥＩＨＤＥＮｊ）を有する、請求項３に記載のシステム。
【請求項５】
前記ステーション（ＳＵＢ）は、前記期間Ｔｋの間、エネルギーのレベル（ＣＳＵＢ）を供給するように制限されており、前記ステーション（ＳＵＢ）は、前記期間Ｔｋの終わりに、前記ステーション（ＳＵＢ）が前記期間Ｔｋ＋１の間に前記順序付きリストの最初のｊ＊個の要素（ＨＤＥＮｊ）に前記第２のモード（ＣＨＡＲＧＥ）を割り振った場合に前記ステーション（ＳＵＢ）が供給することになる累積のエネルギーの第１のレベルと、前記ステーション（ＳＵＢ）が前記期間Ｔｋ＋１の間に前記順序付きリストの最初のｊ＊＋１個の要素（ＨＤＥＮｊ）に前記第２のモード（ＣＨＡＲＧＥ）を割り振るとした場合に前記ステーション（ＳＵＢ）が供給することになる累積のエネルギーの第２のレベルとの間にエネルギーの前記レベル（ＣＳＵＢ）が含まれるように臨界インデックス値ｊ＊を決定し、前記ステーション（ＳＵＢ）は、前記期間Ｔｋ＋１のために、前記順序付きリストの最初のｊ＊個の要素（ＨＤＥＮｊ）の前記切替え装置（ＣＯＭＨＤＥＮｊ）に前記第２のモード（ＣＨＡＲＧＥ）を割り振り、前記順序付きリストの最後のｎ−ｊ＊個の要素（ＨＤＥＮｊ）の前記切替え装置（ＣＯＭＨＤＥＮｊ）に前記第１のモード（ＤＲＡＩＮ）を割り振る、請求項４に記載のシステム。
【請求項６】
各切替え装置（ＣＯＭＤＥＮｉ）は、前記期間Ｔｋの終わりに、前記期間Ｔｋの間に前記クライアントデバイス（ＤＣＬＤＥＮｉ）によって消費されたエネルギーの第２のレベル（ＣＰＬＤＥＮｉ，Ｔｋ）を前記ステーション（ＳＵＢ）に送信し、前記ステーション（ＳＵＢ）は、前記第１のレベル（ＣＳＬＤＥＮｉ，Ｔｋ）および前記第２のレベル（ＣＰＬＤＥＮｉ，Ｔｋ）を記憶するための手段を備え、前記期間Ｔｋの終わりに、前の期間の間に蓄えられたエネルギーの第２のレベル（ＣＰＬＤＥＮｉ，Ｔｋ）から、前記期間Ｔｋ＋１の間の前記クライアントデバイス（ＤＣＬＤＥＮｉ）のエネルギー消費（＜ＰＲＬＤＥＮｉ，Ｔｋ＋１＞）を推定し、前記エネルギー消費（＜ＰＲＬＤＥＮｉ，Ｔｋ＋１＞）から前記臨界インデックス値ｊ＊を決定する、請求項５に記載のシステム。
【請求項７】
前記ステーション（ＳＵＢ）は、前記期間Ｔｋの間、エネルギーのレベル（ＣＳＵＢ）を供給するように制限されており、前記ステーション（ＳＵＢ）は、
−  前記期間Ｔｋ＋１の始めに、前記ネットワーク（ＤＥＮｉ）のすべての前記切替え装置に前記第１のモード（ＤＲＡＩＮ）を割り振るための手段と、
−  前記ネットワーク（ＤＥＮｉ）の前記切替え装置に、対応するエネルギー貯蔵手段に蓄えられたエネルギーのレベルが最大になるまで前記第２のモード（ＣＨＡＲＧＥ）を割り振るための手段であって、前記割り振りは、前記順序リスト（ＨＤＥＮｊ）の順番で実行される、手段と
を備える、請求項４に記載のシステム。
【請求項８】
前記緊急性インデックス（ＥＩＤＥＮｉ）は、エネルギーの前記第１のレベル（ＣＳＬＤＥＮｉ，Ｔｋ）を代表する値を有すること、または前記緊急性インデックス（ＥＩＤＥＮｉ）は、マルコフ変調需要過程を仮定することによって決定される、前記期間Ｔｋ＋１の間に前記エネルギー貯蔵手段（ＰＳＤＤＥＮｉ）のエネルギーの不足が起こる確率である、請求項４から７のいずれか一項に記載のシステム。
【請求項９】
前記供給システム（ＰＳＯ）は、事業者である、請求項１から８のいずれか一項に記載のシステム。
【請求項１０】
ｎ≧２および１≦ｉ≦ｎとしてｎ個のローカルエネルギーネットワーク（ＤＥＮｉ）へのエネルギー供給を管理するためのステーション（ＳＵＢ）であって、各ローカルエネルギーネットワーク（ＤＥＮｉ）は、前記ネットワーク（ＤＥＮｉ）を流れるエネルギーを消費することができる少なくとも１つのクライアントデバイス（ＤＣＬＤＥＮｉ）と、各ネットワーク（ＤＥＮｉ）に接続された切替え装置（ＣＯＭＤＥＮｉ）と、前記切替え装置（ＣＯＭＤＥＮｉ）を介して前記ネットワーク（ＤＥＮｉ）に接続されたエネルギー貯蔵手段（ＰＳＤＤＥＮｉ）と、を備え、前記ステーション（ＳＵＢ）は、供給システム（ＰＳＯ）からエネルギーを受け取り、前記ネットワークに関連するデバイス（ＣＯＭＤＥＮｉ）を介して前記ｎ個のネットワーク（ＤＥＮｉ）にエネルギーを供給することができ、各切替え装置（ＣＯＭＤＥＮｉ）に対して、
−  前記エネルギー貯蔵手段（ＰＳＤＤＥＮｉ）が前記ネットワーク（ＤＥＮｉ）にエネルギーを供給する第１のモード（ＤＲＡＩＮ）、または
−  前記ステーション（ＳＵＢ）が前記ネットワーク（ＤＥＮｉ）および前記エネルギー貯蔵手段（ＰＳＤＤＥＮｉ）にエネルギーを同時に供給する第２のモード（ＣＨＡＲＧＥ）
を決定し、割り振るように構成される、前記ステーション（ＳＵＢ）。
【請求項１１】
前記ローカルネットワーク（ＤＥＮｉ）に接続された前記エネルギー貯蔵手段（ＰＳＤＤＥＮｉ）に蓄えられたエネルギーのレベルに基づいて、または前記貯蔵手段（ＰＳＤＤＥＮｉ）のレベルでエネルギーの不足が起こらない確率に基づいて、ローカルネットワーク（ＤＥＮｉ）をランク付けするための手段を備える、請求項１０に記載のステーション（ＳＵＢ）。
【請求項１２】
１≦ｋ≦ＫとしてＫ個の連続する期間Ｔｋを考慮し、
−  前記期間Ｔｋの終わりに前記エネルギー貯蔵手段（ＰＳＤＤＥＮｉ）に蓄えられたエネルギーの第１のレベル（ＣＳＬＤＥＮｉ，Ｔｋ）を前記期間Ｔｋの終わりに受信するように構成された手段（Ｍ１）と、
−  前記第１のレベル（ＣＳＬＤＥＮｉ，Ｔｋ）を記憶するように構成された手段（Ｍ２）と、
−  各切替え装置（ＣＯＭＤＥＮｉ）に対して、
−  前記第１のモード（ＤＲＡＩＮ）、または
−  前記第２のモード（ＣＨＡＲＧＥ）
を決定し、割り振るように構成された手段（Ｍ３）と
を備える、請求項１０または１１に記載のステーション（ＳＵＢ）。
【請求項１３】
前記手段（Ｍ１）は、前記期間Ｔｋの終わりに、前記期間Ｔｋの間に前記クライアントデバイス（ＤＣＬＤＥＮｉ）によって消費されたエネルギーの第２のレベル（ＣＰＬＤＥＮｉ，Ｔｋ）を受信するようにさらに構成され、前記手段（Ｍ２）は、前記第２のレベル（ＣＰＬＤＥＮｉ，Ｔｋ）を記憶するようにさらに構成される、請求項１２に記載のステーション（ＳＵＢ）。
【請求項１４】
前記期間Ｔｋの間、エネルギーのレベル（ＣＳＵＢ）を供給するように制限されており、前記手段（Ｍ３）は、
−  前記期間Ｔｋの終わりに、期間Ｔｋ＋１のために前記切替え装置（ＣＯＭＤＥＮｉ）に前記第２のモード（ＣＨＡＲＧＥ）を割り振る優先順位を定義する緊急性インデックス（ＥＩＤＥＮｉ）を決定するように構成された手段（Ｍ３．１）であって、前記緊急性インデックス（ＥＩＤＥＮｉ）は、前記ステーション（ＳＵＢ）に記憶された前記ネットワーク（ＤＥＮｉ）に関連する前記第１のレベル（ＣＳＬＤＥＮ１，Ｔｋ、．．．、ＣＳＬＤＥＮｉ，Ｔｋ、．．．、ＣＳＬＤＥＮｎ，Ｔｋ）から決定される、手段（Ｍ３．１）と、
−  前記期間Ｔｋの終わりに、緊急性インデックス（ＥＩＤＥＮｉ）の昇順に前記ローカルネットワーク（ＤＥＮｉ）をランク付けし、１≦ｊ≦ｎとして前記ローカルネットワーク（ＨＤＥＮｊ）の順序付きリストを構築するように構成された手段（Ｍ３．２）であって、前記順序付きリストの要素（ＨＤＥＮｊ）は、１≦ｊ≦ｎ−１に対してＥＩＨＤＥＮｊ≦ＥＩＨＤＥＮｊ＋１であり、ＥＩＨＤＥＮＮ＝Ｍａｘ（ＥＩＤＥＮｉ）１≦ｉ≦ｎであるような緊急性インデックス（ＥＩＨＤＥＮｊ）を有する、手段（Ｍ３．２）と、
−  前記期間Ｔｋの終わりに、前記期間Ｔｋ＋１の前の期間の間に蓄えられたエネルギーの第１のレベル（ＣＰＬＤＥＮｉ，Ｔｋ）から、前記期間Ｔｋ＋１の間の前記クライアントデバイス（ＤＣＬＤＥＮｉ）のエネルギー消費（＜ＰＲＬＤＥＮｉ，Ｔｋ＋１＞）を推定するように構成された手段（Ｍ３．３）と
を備える、請求項１２または１３に記載のステーション（ＳＵＢ）。
【請求項１５】
前記手段（Ｍ３）は、
−  前記期間Ｔｋの終わりに、前記期間Ｔｋ＋１の間の前記クライアントデバイス（ＤＣＬＤＥＮｉ）のエネルギー消費（＜ＰＲＬＤＥＮｉ，Ｔｋ＋１＞）の推定値から、前記ステーション（ＳＵＢ）が前記期間Ｔｋ＋１の間に前記順序付きリスト（ＨＤＥＮｊ）の最初のｊ＊個のローカルネットワークに前記第２のモード（ＣＨＡＲＧＥ）を割り振るとした場合に前記ステーション（ＳＵＢ）が供給することになる累積のエネルギーの第１のレベルと、前記ステーション（ＳＵＢ）が前記期間Ｔｋ＋１の間に前記順序付きリスト（ＨＤＥＮｊ）の最初のｊ＊＋１個のローカルネットワークに前記第２のモード（ＣＨＡＲＧＥ）を割り振るとした場合に前記ステーション（ＳＵＢ）が供給することになる累積のエネルギーの第２のレベルとの間にエネルギーの前記レベル（ＣＳＵＢ）が含まれるように臨界インデックス値ｊ＊を決定するように構成された手段（Ｍ３．４）と、
−  前記期間Ｔｋ＋１の間、前記順序付きリスト（ＨＤＥＮｊ）の最初のｊ＊個のローカルネットワークの前記切替え装置に前記第２のモード（ＣＨＡＲＧＥ）を割り振り、前記順序付きリスト（ＨＤＥＮｊ）に現れる最後のｎ−ｊ＊個のローカルネットワークの前記切替え装置に前記第１のモード（ＤＲＡＩＮ）を割り振るように構成された手段（Ｍ３．５）と
をさらに備える、請求項１４に記載のステーション（ＳＵＢ）。
【請求項１６】
前記手段（Ｍ３）は、前記期間Ｔｋ＋１の間、前記順序付きリスト（ＨＤＥＮｊ）の前記ローカルネットワークのすべての前記切替え装置に前記第１のモード（ＤＲＡＩＮ）を割り振るように構成された手段（Ｍ３．６）をさらに備え、前記手段（Ｍ３．６）は、前記順序付きリスト（ＨＤＥＮｊ）の順番で選択された第１のローカルネットワークの前記切替え装置に、前記ローカルネットワークの前記エネルギー貯蔵手段に蓄えられたエネルギーのレベルがエネルギーのレベルの閾値（ＰＬＬＤＥＮｉ）に達するまで一時的に前記第２のモード（ＣＨＡＲＧＥ）を割り振るようにさらに構成される、請求項１５に記載のステーション（ＳＵＢ）。
【請求項１７】
ｎ≧２および１≦ｉ≦ｎとしてｎ個のローカルエネルギーネットワーク（ＤＥＮｉ）へのエネルギー供給を管理するための方法であって、各ローカルエネルギーネットワーク（ＤＥＮｉ）は、前記ネットワーク（ＤＥＮｉ）を流れるエネルギーを消費することができる少なくとも１つのクライアントデバイス（ＤＣＬＤＥＮｉ）を含み、切替え装置（ＣＯＭＤＥＮｉ）が各ネットワーク（ＤＥＮｉ）に接続され、エネルギー貯蔵手段（ＰＳＤＤＥＮｉ）が前記切替え装置（ＣＯＭＤＥＮｉ）を介して前記ネットワーク（ＤＥＮｉ）に接続され、ステーション（ＳＵＢ）が、前記ネットワークに関連する切替え装置（ＣＯＭＤＥＮｉ）を介して前記ｎ個のネットワーク（ＤＥＮｉ）にエネルギーを供給することができ、供給システム（ＰＳＯ）から前記エネルギーを受け取り、前記方法は、前記ステーション（ＳＵＢ）によって実施されるステップであって、各切替え装置（ＣＯＭＤＥＮｉ）に対して、
−  前記エネルギー貯蔵手段（ＰＳＤＤＥＮｉ）が前記ネットワーク（ＤＥＮｉ）にエネルギーを供給する第１のモード（ＤＲＡＩＮ）、または
−  前記ステーション（ＳＵＢ）が前記ネットワーク（ＤＥＮｉ）および前記エネルギー貯蔵手段（ＰＳＤＤＥＮｉ）にエネルギーを同時に供給する第２のモード（ＣＨＡＲＧＥ）
を決定し、割り振るステップを含む、前記方法。
【請求項１８】
前記ローカルネットワーク（ＤＥＮｉ）に接続された前記エネルギー貯蔵手段（ＰＳＤＤＥＮｉ）に蓄えられたエネルギーのレベルに基づいて、または前記貯蔵手段（ＰＳＤＤＥＮｉ）のレベルでエネルギーの不足が起こらない確率に基づいて、ローカルネットワーク（ＤＥＮｉ）をランク付けするステップを含む、請求項１７に記載の方法。
【請求項１９】
前記ステーション（ＳＵＢ）は、１≦ｋ≦ＫとしてＫ個の連続する期間Ｔｋを考慮し、各切替え装置（ＣＯＭＤＥＮｉ）に対して、
−  前記第１のモード（ＤＲＡＩＮ）、または
−  前記第２のモード（ＣＨＡＲＧＥ）
を決定し、期間Ｔｋ＋１の少なくとも一部分の間、割り振るように構成され、
前記方法は、前記ステーション（ＳＵＢ）のレベルで、前記期間Ｔｋの終わりに、
−  各期間Ｔｋの終わりに前記エネルギー貯蔵手段（ＰＳＤＤＥＮｉ）に蓄えられたエネルギーの第１のレベル（ＣＳＬＤＥＮｉ，Ｔｋ）をすべてのローカルネットワーク（ＤＥＮｉ）の前記切替え装置から受信し、記憶するステップ（Ｓ１）と、
−  前記期間Ｔｋ＋１のために前記切替え装置（ＣＯＭＤＥＮｉ）に前記第２のモード（ＣＨＡＲＧＥ）を割り振る緊急性の順序を定義する緊急性インデックス（ＥＩＤＥＮｉ）を決定するステップ（Ｓ１０）であって、前記緊急性インデックス（ＥＩＤＥＮｉ）は、前記ネットワーク（ＤＥＮｉ）に関連する前記第１のレベル（ＣＳＬＤＥＮ１，Ｔｋ、．．．、ＣＳＬＤＥＮｉ，Ｔｋ、．．．、ＣＳＬＤＥＮｎ，Ｔｋ）から決定される、ステップ（Ｓ１０）と、
−  緊急性インデックス（ＥＩＤＥＮｉ）の昇順に前記ローカルネットワーク（ＤＥＮｉ）をランク付けし、１≦ｊ≦ｎとしてローカルネットワーク（ＨＤＥＮｊ）の順序付きリストを構成するステップ（Ｓ２０）であって、前記順序付きリストの前記ローカルネットワーク（ＨＤＥＮｊ）は、１≦ｊ≦ｎ−１に対してＥＩＨＤＥＮｊ≦ＥＩＨＤＥＮｊ＋１であり、ＥＩＨＤＥＮＮ＝Ｍａｘ（ＥＩＤＥＮｉ）１≦ｉ≦ｎであるような緊急性インデックス（ＥＩＨＤＥＮｊ）を有する、ステップ（Ｓ２０）と、
−  前記ローカルネットワーク（ＨＤＥＮｊ）が前記順序付きリスト内で占めているランクｊにしたがって選択された少なくとも１つの切替え装置に前記期間Ｔｋ＋１のために前記第２のモード（ＣＨＡＲＧＥ）を割り振るステップ（Ｓ５０、Ｓ５１）と
を含む、請求項１８に記載の方法。
【請求項２０】
−  前記期間Ｔｋの間に前記クライアントデバイス（ＤＣＬＤＥＮｉ）によって消費されたエネルギーの第２のレベル（ＣＰＬＤＥＮｉ，Ｔｋ）をすべての切替え装置（ＣＯＭＤＥＮｉ）から受信し、前記第２の受信されたレベル（ＣＰＬＤＥＮｉ，Ｔｋ）を記憶するステップ（Ｓ１）と、
−  記憶されたエネルギーの前記第１のレベル（ＣＰＬｉ，Ｔｋ）から、前記期間Ｔｋ＋１の間の前記クライアントデバイス（ＤＣＬＤＥＮｉ）のエネルギー消費（＜ＰＲＬｉ，Ｔｋ＋１＞）を推定するステップ（Ｓ３０）と、
−  前記期間Ｔｋの終わりに、前記期間Ｔｋ＋１の間の前記クライアントデバイス（ＤＣＬＤＥＮｉ）のエネルギー消費（＜ＰＲＬｉ，Ｔｋ＋１＞）の推定値から、前記ステーション（ＳＵＢ）が前記期間Ｔｋ＋１の間に前記順序付きリスト（ＨＤＥＮｊ）の最初のｊ＊個のローカルネットワークに前記第２のモード（ＣＨＡＲＧＥ）を割り振るとした場合に前記ステーション（ＳＵＢ）が供給することになる累積のエネルギーの第１のレベルと、前記ステーション（ＳＵＢ）が前記期間Ｔｋ＋１の間に前記順序付きリスト（ＨＤＥＮｊ）の最初のｊ＊＋１個のローカルネットワークに前記第２のモード（ＣＨＡＲＧＥ）を割り振るとした場合に前記ステーション（ＳＵＢ）が供給することになる累積のエネルギーの第２のレベルとの間にエネルギーのレベル（ＣＳＵＢ）が含まれるように臨界インデックス値ｊ＊を決定するステップ（Ｓ４０）と、
−  前記期間Ｔｋ＋１の間、前記順序付きリスト（ＨＤＥＮｊ）の最初のｊ＊個のローカルネットワークの前記切替え装置に前記第２のモード（ＣＨＡＲＧＥ）を割り振り、前記順序付きリスト（ＨＤＥＮｊ）の最後のｎ−ｊ＊個のローカルネットワークの前記切替え装置に前記第１のモード（ＤＲＡＩＮ）を割り振るステップ（Ｓ５０）と、
をさらに含む、請求項１９に記載の方法。
【請求項２１】
前記緊急性インデックス（ＥＩＤＥＮｉ）は、エネルギーの前記第１のレベル（ＣＳＬＤＥＮｉ）を代表する値を有すること、または前記緊急性インデックス（ＥＩＤＥＮｉ）は、マルコフ変調需要過程を仮定することによって決定される、前記期間Ｔｋ＋１の間に前記エネルギー貯蔵手段（ＰＳＤＤＥＮｉ）でエネルギーの不足が起こらない確率である、請求項１９または２０に記載の方法。
【請求項２２】
ローカルエネルギーネットワーク（ＤＥＮｉ）を流れるエネルギーを消費することができる少なくとも１つのクライアントデバイス（ＤＣＬＤＥＮｉ）を含む前記ローカルエネルギーネットワーク（ＤＥＮｉ）に接続された切替え装置（ＣＯＭＤＥＮｉ）であって、前記切替え装置は、エネルギー貯蔵手段（ＰＳＤＤＥＮｉ）からエネルギーを前記ネットワークに供給するために、前記エネルギー貯蔵手段を前記ネットワークに接続し、前記切替え装置（ＣＯＭＤＥＮｉ）を介して前記ネットワーク（ＤＥＮｉ）にエネルギーを供給するためのステーション（ＳＵＢ）に前記エネルギー貯蔵手段を接続するための手段を備え、前記切替え装置（ＣＯＭＤＥＮｉ）は、
−  前記エネルギー貯蔵手段（ＰＳＤＤＥＮｉ）が前記ネットワーク（ＤＥＮｉ）にエネルギーを供給する第１のモード（ＤＲＡＩＮ）、または
−  前記ステーション（ＳＵＢ）が前記ネットワーク（ＤＥＮｉ）および前記エネルギー貯蔵手段（ＰＳＤＤＥＮｉ）にエネルギーを同時に供給する第２のモード（ＣＨＡＲＧＥ）
に応じて動作することができる、切替え装置（ＣＯＭＤＥＮｉ）。
【発明の詳細な説明】
【技術分野】
【０００１】
本発明は、複数のローカルエネルギーネットワークへのエネルギー供給の集中管理に関する。本発明は、より詳細には、複数のローカルエネルギーネットワークのうちの１つへのエネルギー供給の途絶を防止するように意図された、前記ネットワークへのエネルギー供給を管理するための方法およびシステムに関する。本発明は、そのようなシステムのための、複数のローカルエネルギーネットワークへのエネルギー供給を管理するためのステーションにも関する。
【背景技術】
【０００２】
スマートメーターグリッドの最近の発展によって裏付けられたように、個人のエネルギーネットワークへのエネルギー供給の管理の問題がますます重大になっている。個人のエネルギーネットワークの観点で見ると、近年、住宅の屋根を覆う太陽光発電パネルの使用に特に基づいたエネルギー供給システムが急速に発展してきた。これらのパネルは、太陽に照らされているとき、すなわち、家庭向けネットワークがほとんどエネルギーを消費していないときには安価で再生可能な電気エネルギーを提供する。したがって、概して、これらのシステムは、エネルギーを蓄え、特に、太陽が沈み、住宅のエネルギーのニーズが比較的高いときにエネルギーを遅れて使用することを可能にするための手段を備える。さらに、数年後には、電気自動車の使用が進み、これらの自動車のバッテリーが、前記住宅の近くにとめられているときにかなりの追加エネルギー貯蔵容量を提供する可能性が高い。
【０００３】
現在、これらのエネルギー貯蔵手段の管理は非常に初歩的な物であり、主に、太陽光発電パネルによって日中に生成された余分なエネルギーの貯蔵を可能にすることを目的としている。
【先行技術文献】
【非特許文献】
【０００４】
【非特許文献１】Bali et al, "An Algorithm for Fitting MMPP to IP Traffic Traces", IEEE Communications Letters, Vol. 11, No. 2; February 2007
【非特許文献２】Asmussen, "Applied Probability and Queues", Second edition, Springer-Verlag, New-York, 2003
【発明の概要】
【発明が解決しようとする課題】
【０００５】
個人にエネルギーを供給する事業者は、末端が概して「星形」構造をしているアーキテクチャの配電ネットワークに基づいてエネルギーを分配する。この構造の中心は、エネルギーを受け取る事業者によって管理されるステーションで位置付けられ、当該構造の枝の末端は、エネルギーを供給される住宅ユニット（ｄｗｅｌｌｉｎｇ  ｕｎｉｔ）で位置付けられる。ステーションに割り振られた役割は、事業者からエネルギーを受け取ることおよびそのエネルギーを住宅ユニットに分配することである。しかし、ステーションが住宅ユニットに届けることができるエネルギーのレベルが、住宅ユニットの一斉に発生する需要を満たすのに十分でないことがある。この欠点は、事業者によってステーションに届けられるエネルギーのレベルが低すぎること、またはステーションとローカルネットワークとの間のエネルギー転送ネットワークの一部でエネルギーの転送量が制限され過ぎていることのどちらかによってもたらされる。したがって、住宅ユニットの一部が、エネルギー供給の一時的な途絶の影響を受ける可能性がある。
【０００６】
本発明の目的は、（住宅ユニットのレベルで利用可能である）上述のエネルギー貯蔵手段で既に形成されている予備エネルギー源と住宅ユニットへのエネルギー供給のステーションのレベルの集中制御とを使用することによって、住宅ユニットへの供給の途絶を防止することであり、この制御は、住宅ユニットへのエネルギー供給の緊急性にしたがって住宅ユニットをランク付けすることを目的とする。
【０００７】
ステーションのエネルギー供給の限界がエネルギー生成の限界によって生じているとき、本発明の異なる実施形態は、エネルギー需要の一時的なピークを時間的に分散させることによって生成手段の欠点を補うことを可能にする。これは、エネルギー生成手段を必要な規模にすること（ｄｉｍｅｎｓｉｏｎｉｎｇ）が、概してエネルギー消費のピークの高さから実行され、消費のピークの需要が満たされることを可能にする追加のエネルギー生成手段を提供するよりも、住宅ユニットのエネルギー需要（およびそれゆえエネルギー供給）をより長い期間にわたって分散させることによって、まれにしか起こらない消費のピークの高さを低くするほうがずっとコストがかからないため有利である。
【０００８】
ステーションのエネルギー供給の限界が、ステーションとローカルネットワークとの間のエネルギー転送ネットワークの一部でエネルギーの転送量が制限され過ぎていることによって生じているとき、本発明の異なる実施形態は、ネットワークの一部の置き換えを防止することによってエネルギー分配ネットワークの欠点を補うことを可能にし、これは、エネルギー供給事業者の時間とお金とを節約する。
【０００９】
本発明は、ローカルエネルギーネットワークが、これらのネットワークに接続されたエネルギーの消費者のデバイスの動作不良によって誘発されるエネルギー供給の途絶および実用上の問題の間にこれらのネットワークが遭遇するこれらのデバイスの性能低下を防止することを可能にするという点でも有利である。
【課題を解決するための手段】
【００１０】
本発明の裏側にある考え方は、ステーションがエネルギーを供給しそうな住宅ユニット、またはこれらの住宅ユニットが備えるローカルエネルギー転送ネットワークの切替え装置のステーションのレベルでのランク付けを、それらにエネルギーを外部から供給する緊急性の順序によって行うことである。このランク付けは、特に、住宅のエネルギー貯蔵手段に蓄えられたエネルギーのレベルに基づいて、または将来のある期間にわたって前記ネットワークに接続されたエネルギー貯蔵手段のレベルでエネルギーの不足が起こらない確率の推定値に基づいて行われる。例えば、これらの確率は、例えば、通信ネットワークのデータトラフィックを評価するために実施される方法に従って、マルコフ変調需要過程を仮定することによって決定され得る。そのような方法の例が、示されている（例えば、非特許文献１または非特許文献２参照）。
【００１１】
ステーションは、ネットワークが、エネルギー供給事業者によって直接供給されるエネルギーを供給されるのか、またはネットワークのエネルギー貯蔵手段に蓄えられたエネルギーを供給されるのかを、これらのネットワークがこのランク付けの中で占めるランクにしたがって決定する。
【００１２】
これを実現するために、本発明の目的は、第１の態様によれば、ｎ≧２および１≦ｉ≦ｎとしてｎ個のローカルエネルギーネットワークＤＥＮｉへのエネルギー供給を管理するためのシステムにおいて、各ローカルエネルギーネットワークＤＥＮｉは、前記ネットワークＤＥＮｉを流れるエネルギーを消費することができる少なくとも１つのクライアントデバイスＤＣＬＤＥＮｉを含む、システムである。
【００１３】
本発明の一実施形態によれば、前記システムは、各ネットワークＤＥＮｉに接続された切替え装置ＣＯＭＤＥＮｉと、切替え装置ＣＯＭＤＥＮｉを介して前記ネットワークＤＥＮｉに接続されたエネルギー貯蔵手段ＰＳＤＤＥＮｉと、前記ネットワークに関連する切替え装置ＣＯＭＤＥＮｉを介してｎ個のネットワークＤＥＮｉにエネルギーを供給するためのステーションＳＵＢであって、供給システムＰＳＯからエネルギーを受け取る、ステーションＳＵＢとを備え、ステーションＳＵＢは、各切替え装置ＣＯＭＤＥＮｉに対して、
−  エネルギー貯蔵手段ＰＳＤＤＥＮｉが前記ネットワークＤＥＮｉにエネルギーを供給する第１のモードＤＲＡＩＮ、または
−  ステーションＳＵＢが前記ネットワークＤＥＮｉおよび前記エネルギー貯蔵手段ＰＳＤＤＥＮｉにエネルギーを同時に供給する第２のモードＣＨＡＲＧＥ
を決定し、割り振るように構成される。
【００１４】
有利なことに、ステーションＳＵＢは、前記ローカルネットワークＤＥＮｉに接続されたエネルギー貯蔵手段ＰＳＤＤＥＮｉに蓄えられたエネルギーのレベルに基づいて、または前記貯蔵手段ＰＳＤＤＥＮｉのレベルでエネルギーの不足が起こらない確率に基づいてローカルネットワークＤＥＮｉをランク付けするための手段を備える。
【００１５】
ステーションＳＵＢは、１≦ｋ≦ＫとしてＫ個の連続する期間Ｔｋを考慮する。
【００１６】
有利なことに、各切替え装置ＣＯＭＤＥＮｉは、各期間Ｔｋの終わりにエネルギー貯蔵手段ＰＳＤＤＥＮｉに蓄えられたエネルギーの第１のレベルＣＳＬＤＥＮｉ，ＴｋをステーションＳＵＢに送信するための手段を備え、ステーションＳＵＢは、期間Ｔｋの終わりに、前記第１のレベルＣＳＬＤＥＮｉ，Ｔｋにしたがって、期間Ｔｋ＋１のために切替え装置ＣＯＭＤＥＮｉに第２のモードＣＨＡＲＧＥを割り振る優先順位を定義する緊急性インデックス（ｕｒｇｅｎｃｙ  ｉｎｄｅｘ）ＥＩＤＥＮｉを決定する。
【００１７】
有利なことに、期間Ｔｋの終わりに、ステーションＳＵＢは、１≦ｊ≦ｎとしてローカルネットワークＨＤＥＮｊの順序付きリストを構成するようにして、緊急性インデックスＥＩＤＥＮｉの昇順にローカルネットワークＤＥＮｉをランク付けし、前記順序付きリストの要素ＨＤＥＮｊは、１≦ｊ≦ｎ−１に対してＥＩＨＤＥＮｊ≦ＥＩＨＤＥＮｊ＋１であり、１≦ｉ≦ｎとしてＥＩＨＤＥＮＮ＝Ｍａｘ（ＥＩＤＥＮｉ）であるような緊急性インデックスＥＩＨＤＥＮｊを有する。
【００１８】
ステーションＳＵＢは、エネルギー供給の有限の容量を有している、言い換えると、ステーションＳＵＢは、期間Ｔｋの間にエネルギーのレベルＣＳＵＢを超えて供給することができないと仮定する。
【００１９】
有利なことに、期間Ｔｋの終わりに、ステーションＳＵＢは、ステーションＳＵＢが期間Ｔｋ＋１の間に順序付きリストの最初のｊ＊個の要素ＨＤＥＮｊに第２のモードＣＨＡＲＧＥを割り振るとした場合にステーションＳＵＢが供給することになる累積のエネルギーの第１のレベルと、ステーションＳＵＢが期間Ｔｋ＋１の間に順序付きリストの最初のｊ＊＋１個の要素ＨＤＥＮｊに第２のモードＣＨＡＲＧＥを割り振るとした場合にステーションＳＵＢが供給することになる累積のエネルギーの第２のレベルとの間にエネルギーのレベルＣＳＵＢが含まれるように臨界インデックス（ｃｒｉｔｉｃａｌ  ｉｎｄｅｘ）値ｊ＊を決定し、ステーションＳＵＢは、期間Ｔｋ＋１のために、順序付きリストの最初のｊ＊個の要素ＨＤＥＮｊの切替え装置ＣＯＭＨＤＥＮｊに第２のモードＣＨＡＲＧＥを割り振り、前記順序付きリストの最後のｎ−ｊ＊個の要素ＨＤＥＮｊの切替え装置ＣＯＭＨＤＥＮｊに第１のモードＤＲＡＩＮを割り振る。
【００２０】
有利なことに、各切替え装置ＣＯＭＤＥＮｉは、期間Ｔｋの終わりに、前記期間Ｔｋの間にクライアントデバイスＤＣＬＤＥＮｉによって消費されたエネルギーの第２のレベルＣＰＬＤＥＮｉ，ＴｋをステーションＳＵＢに送信し、ステーションＳＵＢは、前記第１のレベルＣＳＬＤＥＮｉ，Ｔｋおよび前記第２のレベルＣＰＬＤＥＮｉ，Ｔｋを記憶するための手段を備え、期間Ｔｋの終わりに、前の期間の間に蓄えられたエネルギーの第２のレベルＣＰＬＤＥＮｉ，Ｔｋから、期間Ｔｋ＋１の間のクライアントデバイスＤＣＬＤＥＮｉのエネルギー消費＜ＰＲＬＤＥＮｉ，Ｔｋ＋１＞を推定し、前記エネルギー消費（＜ＰＲＬＤＥＮｉ，Ｔｋ＋１＞）から臨界インデックス値ｊ＊を決定する。
【００２１】
有利なことに、ステーションＳＵＢは、
期間Ｔｋ＋１の始めに、ネットワークＤＥＮｉのすべての切替え装置に第１のモードＤＲＡＩＮを割り振るための手段と、
ネットワークＤＥＮｉの切替え装置に、対応するエネルギー貯蔵手段に蓄えられたエネルギーのレベルが最大になるまで第２のモードＣＨＡＲＧＥを割り振るための手段であって、前記割り振りは、順序リストＨＤＥＮｊの順番で実行される、手段と
を備える。
【００２２】
有利なことに、緊急性インデックスＥＩＤＥＮｉは、エネルギーの第１のレベルＣＳＬＤＥＮｉ，Ｔｋを代表する値を有するか、またはマルコフ変調需要過程を仮定することによって決定される、期間Ｔｋ＋１の間にエネルギー貯蔵手段ＰＳＤＤＥＮｉのエネルギーの不足が起こらない確率である。この過程は、概して、通信ネットワークのデータトラフィックを推定するために使用される。
【００２３】
供給システムは、事業者であることが有利である。
【００２４】
本発明の目的は、第２の態様によれば、ｎ≧２および１≦ｉ≦ｎとしてｎ個のローカルエネルギーネットワークＤＥＮｉへのエネルギー供給を管理するためのステーションＳＵＢにおいて、各ローカルエネルギーネットワークＤＥＮｉは、前記ネットワークＤＥＮｉを流れるエネルギーを消費することができる少なくとも１つのクライアントデバイスＤＣＬＤＥＮｉを含み、切替え装置ＣＯＭＤＥＮｉが各ネットワークＤＥＮｉに接続され、エネルギー貯蔵手段ＰＳＤＤＥＮｉが切替え装置ＣＯＭＤＥＮｉを介して前記ネットワークＤＥＮｉに接続され、ステーションＳＵＢは、供給システムＰＳＯからエネルギーを受け取り、前記ネットワークに関連するデバイスＣＯＭＤＥＮｉを介してｎ個のネットワークＤＥＮｉにエネルギーを供給することができる、ステーションＳＵＢである。
【００２５】
本発明のステーションＳＵＢは、各切替え装置ＣＯＭＤＥＮｉに対して、
−  エネルギー貯蔵手段ＰＳＤＤＥＮｉが前記ネットワークＤＥＮｉにエネルギーを供給する第１のモードＤＲＡＩＮ、または
−  ステーションＳＵＢが前記ネットワークＤＥＮｉおよび前記エネルギー貯蔵手段ＰＳＤＤＥＮｉにエネルギーを同時に供給する第２のモードＣＨＡＲＧＥ
を決定し、割り振るように構成される。
【００２６】
有利なことに、ステーションは、前記ローカルネットワークＤＥＮｉに接続されたエネルギー貯蔵手段ＰＳＤＤＥＮｉに蓄えられたエネルギーのレベルに基づいて、または前記貯蔵手段ＰＳＤＤＥＮｉのレベルでエネルギーの不足が起こらない確率に基づいてローカルネットワークＤＥＮｉをランク付けするための手段を備える。
【００２７】
好ましくは、ステーションＳＵＢは、１≦ｋ≦ＫとしてＫ個の連続する期間Ｔｋを考慮する。
【００２８】
本発明の一実施形態によれば、ステーションＳＵＢは、
−  期間Ｔｋの終わりにエネルギー貯蔵手段ＰＳＤＤＥＮｉに蓄えられたエネルギーの第１のレベルＣＳＬＤＥＮｉ，Ｔｋを期間Ｔｋの終わりに受信するように構成された手段Ｍ１と、
−  前記第１のレベルＣＰＬＤＥＮｉ，Ｔｋを記憶するように構成された手段Ｍ２と、
−  各切替え装置ＣＯＭＤＥＮｉに対して、
−  第１のモードＤＲＡＩＮ、または
−  第２のモードＣＨＡＲＧＥ
を決定し、割り振るように構成された手段Ｍ３と
を備える。
【００２９】
本発明の目的は、第３の態様によれば、ｎ≧２および１≦ｉ≦ｎとしてｎ個のローカルエネルギーネットワークＤＥＮｉへのエネルギー供給を管理するための方法において、各ローカルエネルギーネットワークＤＥＮｉは、前記ネットワークＤＥＮｉを流れるエネルギーを消費することができる少なくとも１つのクライアントデバイスＤＣＬＤＥＮｉを含み、切替え装置ＣＯＭＤＥＮｉが各ネットワークＤＥＮｉに接続され、エネルギー貯蔵手段ＰＳＤＤＥＮｉが切替え装置ＣＯＭＤＥＮｉを介して前記ネットワークＤＥＮｉに接続され、ステーションＳＵＢが、前記ネットワークに関連する切替え装置ＣＯＭＤＥＮｉを介してｎ個のネットワークＤＥＮｉにエネルギーを供給することができ、供給システムＰＳＯからエネルギーを受け取る、方法である。
【００３０】
本発明の方法は、ステーションＳＵＢによって実施される、各切替え装置ＣＯＭＤＥＮｉに対して、
−  エネルギー貯蔵手段ＰＳＤＤＥＮｉが前記ネットワークＤＥＮｉにエネルギーを供給する第１のモードＤＲＡＩＮ、または
−  ステーションＳＵＢが前記ネットワークＤＥＮｉおよび前記エネルギー貯蔵手段ＰＳＤＤＥＮｉにエネルギーを同時に供給する第２のモードＣＨＡＲＧＥ
を決定し、割り振るステップを含む。
【００３１】
有利なことに、方法は、前記ローカルネットワークＤＥＮｉに接続されたエネルギー貯蔵手段ＰＳＤＤＥＮｉに蓄えられたエネルギーのレベルに基づいて、または前記貯蔵手段ＰＳＤＤＥＮｉのレベルでエネルギーの不足が起こらない確率に基づいてローカルネットワークＤＥＮｉをランク付けするステップを含む。
【００３２】
好ましくは、ステーションＳＵＢは、１≦ｋ≦ＫとしてＫ個の連続する期間Ｔｋを考慮し、ステーションＳＵＢは、各切替え装置ＣＯＭＤＥＮｉに対して、
−  第１のモードＤＲＡＩＮ、または
−  第２のモードＣＨＡＲＧＥ
を決定し、期間Ｔｋ＋１の少なくとも一部分の間、割り振るように構成される。
【００３３】
本発明の一実施形態によれば、ステーションＳＵＢのレベルで、期間Ｔｋの終わりに、方法は、
−  各期間Ｔｋの終わりにエネルギー貯蔵手段ＰＳＤＤＥＮｉに蓄えられたエネルギーの第１のレベルＣＳＬＤＥＮｉ，ＴｋをすべてのローカルネットワークＤＥＮｉの切替え装置から受信し、記憶するステップＳ１と、
−  期間Ｔｋ＋１のために切替え装置ＣＯＭＤＥＮｉに第２のモードＣＨＡＲＧＥを割り振る緊急性の順序を定義する緊急性インデックスＥＩＤＥＮｉを決定するステップＳ１０であって、前記緊急性インデックスＥＩＤＥＮｉは、ネットワークＤＥＮｉに関連する前記第１のレベルＣＳＬＤＥＮ１，Ｔｋ、．．．、ＣＳＬＤＥＮｉ，Ｔｋ、．．．、ＣＳＬＤＥＮｎ，Ｔｋから決定される、ステップＳ１０と、
−  緊急性インデックスＥＩＤＥＮｉの昇順にローカルネットワークＤＥＮｉをランク付けし、１≦ｊ≦ｎとしてローカルネットワークＨＤＥＮｊの順序付きリストを構成するステップＳ２０であって、前記順序付きリストのローカルネットワークＨＤＥＮｊは、１≦ｊ≦ｎ−１に対してＥＩＨＤＥＮｊ≦ＥＩＨＤＥＮｊ＋１であり、ＥＩＨＤＥＮＮ＝Ｍａｘ（ＥＩＤＥＮｉ）１≦ｉ≦ｎであるような緊急性インデックスＥＩＨＤＥＮｊ，Ｔｋを有する、ステップＳ２０と、
−  ローカルネットワークＨＤＥＮｊが前記順序付きリスト内で占めているランクｊにしたがって選択された少なくとも１つの切替え装置に期間Ｔｋ＋１のために第２のモードＣＨＡＲＧＥを割り振るステップＳ５０、Ｓ５１と
を含む。
【００３４】
有利なことに、前記方法は、
−  前記期間Ｔｋの間にクライアントデバイスＤＣＬＤＥＮｉによって消費されたエネルギーの第２のレベルＣＰＬＤＥＮｉ，Ｔｋをすべての切替え装置ＣＯＭＤＥＮｉから受信し、前記第２の受信されたレベルＣＰＬＤＥＮｉ，Ｔｋを記憶するステップＳ１と、
−  記憶されたエネルギーの前記第１のレベルＣＰＬｉ，Ｔｋから、期間Ｔｋ＋１の間のクライアントデバイスＤＣＬＤＥＮｉのエネルギー消費＜ＰＲＬｉ，Ｔｋ＋１＞を推定するステップＳ３０と、
−  期間Ｔｋの終わりに、期間Ｔｋ＋１の間のクライアントデバイスＤＣＬＤＥＮｉのエネルギー消費＜ＰＲＬｉ、Ｔｋ＋１＞の推定値から、ステーションＳＵＢが期間Ｔｋ＋１の間に順序付きリストＨＤＥＮｊの最初のｊ＊個のローカルネットワークに第２のモードＣＨＡＲＧＥを割り振るとした場合にステーションＳＵＢが供給することになる累積のエネルギーの第１のレベルと、ステーションＳＵＢが期間Ｔｋ＋１の間に順序付きリストＨＤＥＮｊの最初のｊ＊＋１個のローカルネットワークに第２のモードＣＨＡＲＧＥを割り振るとした場合にステーションＳＵＢが供給することになる累積のエネルギーの第２のレベルとの間にエネルギーのレベルＣＳＵＢが含まれるように臨界インデックス値ｊ＊を決定するステップＳ４０と、
−  期間Ｔｋ＋１の間、順序付きリストＨＤＥＮｊの最初のｊ＊個のローカルネットワークの切替え装置に第２のモードＣＨＡＲＧＥを割り振り、順序付きリストＨＤＥＮｊの最後のｎ−ｊ＊個のローカルネットワークの切替え装置に第１のモードＤＲＡＩＮを割り振るステップＳ５０と
をさらに含む。
【００３５】
さらに、本発明の目的は、ローカルエネルギーネットワークＤＥＮｉを流れるエネルギーを消費することができる少なくとも１つのクライアントデバイスＤＣＬＤＥＮｉを含む前記ローカルエネルギーネットワークＤＥＮｉに接続された切替え装置ＣＯＭＤＥＮｉであって、前記切替え装置は、エネルギー貯蔵手段ＰＳＤＤＥＮｉからエネルギーを前記ネットワークに供給するために、前記エネルギー貯蔵手段を前記ネットワークに接続し、前記切替え装置ＣＯＭＤＥＮｉを介して前記ネットワークＤＥＮｉにエネルギーを供給するためのステーションＳＵＢに前記エネルギー貯蔵手段を接続するための手段を備え、前記切替え装置ＣＯＭＤＥＮｉは、
−  前記エネルギー貯蔵手段ＰＳＤＤＥＮｉが前記ネットワークＤＥＮｉにエネルギーを供給する第１のモードＤＲＡＩＮ、または
−  前記ステーションＳＵＢが前記ネットワークＤＥＮｉおよび前記エネルギー貯蔵手段ＰＳＤＤＥＮｉにエネルギーを同時に供給する第２のモードＣＨＡＲＧＥ
に応じて動作することができる切替え装置である。
【図面の簡単な説明】
【００３６】
本発明は、本発明の例示的な実施形態の以下の詳細な説明を読むとより深く理解されるであろう。この説明は、情報提供のためにのみ与えられ、添付の図面を参照する。
【図１】本発明の実施形態によるステーションに接続されたローカルエネルギーネットワークを示す図である。
【図２ａ】切替え装置ＣＯＭが「ＤＲＡＩＮ」と呼ばれる第１のモードであるときにネットワークＤＥＮに供給されるエネルギーが通る経路を示す図である。
【図２ｂ】切替え装置ＣＯＭが「ＣＨＡＲＧＥ」と呼ばれる第２のモードであるときにネットワークＤＥＮに供給されるエネルギーが通る経路を示す図である。
【図３】本発明の実施形態による複数のローカルエネルギーネットワークへのエネルギー供給を管理するためのシステムであって、４つのローカルエネルギーネットワークに同時に供給するシステムを示す図である。
【図４】本発明の第１の実施形態による複数のローカルエネルギーネットワークへのエネルギー供給を管理するための方法の流れ図である。
【図５】前記方法のステップＳ４０の例示的な実施形態を示す図である。
【図６】本発明の第２の実施形態による複数のローカルエネルギーネットワークへのエネルギー供給を管理するための方法の流れ図である。
【図７】本発明によるステーションＳＵＢのアーキテクチャの単純化された図である。
【発明を実施するための形態】
【００３７】
図１は、ローカルエネルギー転送ネットワークＤＥＮ１で運ばれたエネルギーを消費するように構成された少なくとも１つのクライアントデバイスＤＣＬ１，１を含むローカルエネルギー転送ネットワークＤＥＮ１を示す。
【００３８】
「ローカルエネルギー転送ネットワーク」によって理解されるのは、切替え装置ＣＯＭＤＥＮ１が置かれる可能性がある、エネルギーの取得手段が特定のノードに集中化されているエネルギー転送ネットワークである。この切替え装置ＣＯＭＤＥＮ１は、ローカルネットワークＤＥＮ１全体へのエネルギー供給を制御するように構成される。
【００３９】
以下の説明において、ネットワークＤＥＮ１は、ローカル電気転送ネットワークである。しかし、本発明の実施形態は、ローカル電気転送ネットワークへの電気の供給を管理することに限定されないことを言うまでもない。
【００４０】
ネットワークＤＥＮ１は、例えば、個人の住宅ユニットに設置され、その場合、このネットワークは、家庭向けネットワークと呼ばれる。しかし、ローカルエネルギー転送ネットワークＤＥＮ１は、家庭向けネットワークに限定されず、工業生産ユニット、例えば、ネットワークＤＥＮ１の外部のエネルギー源によって供給されるエネルギーを使用する工業用機能の機器を備えた建物にも設置され得る。
【００４１】
エネルギー貯蔵手段ＰＳＤＤＥＮ１が、デバイスＣＯＭＤＥＮ１を介してネットワークＤＥＮ１に接続される。したがって、電気ネットワークＤＥＮ１に接続されているクライアントデバイスＤＣＬ１，１は、エネルギー供給事業者ＰＳＯによって直接供給される電気、ここではネットワークＤＥＮ１の外部の電気エネルギー源からの電気、またはエネルギー貯蔵手段ＰＳＤＤＥＮ１に蓄えられた電気のどちらかによって電気エネルギーを供給され得る。デバイスＤＣＬ１によって消費される電気の出所は、デバイスＣＯＭＤＥＭ１の設定モードによって定義される。
【００４２】
「ＣＨＡＲＧＥ」と呼ばれる特定の設定モードであるとき、切替え装置ＣＯＭＤＥＮ１は、事業者ＰＳＯが、ローカルネットワークＤＥＮ１の外部のエネルギー源によってネットワークＤＥＮ１に接続されたクライアントデバイスにエネルギーを供給することを認める。別の構成モード「ＤＲＡＩＮ」であるとき、切替え装置ＣＯＭＤＥＮ１は、事業者ＰＳＯによるネットワークＤＥＮ１へのエネルギー供給を遮断し、エネルギー貯蔵手段を、ネットワークＤＥＮ１に接続されたクライアントデバイスのためのエネルギー源に変えることができる。これらの設定モードは、図２ａおよび２ｂを用いてより詳細に説明される。
【００４３】
貯蔵手段ＰＳＤＤＥＮ１は、優先的に、住宅ユニットに接続された固定の手段であり、したがって、貯蔵手段ＰＳＤＤＥＮ１は、時間的に有限で、決まっており、一定の貯蔵容量ＭＳＬＤＥＮ１を有する。言い換えると、貯蔵手段ＰＳＤＤＥＮ１は、貯蔵手段ＰＳＤＤＥＮ１が含むエネルギーのレベルがＭＳＬＤＥＮ１を超えない限りエネルギーを蓄えることができる。貯蔵手段ＰＳＤＤＥＮ１は、貯蔵手段ＰＳＤＤＥＮ１が含むエネルギーのレベルが０を超えている間、ネットワークＤＥＮ１に供給するためのエネルギー源を構成する。
【００４４】
しかし、貯蔵手段ＰＳＤＤＥＮ１は、例えば、自動車が住宅の近くにとめられているとき、および自動車のバッテリーがデバイスＣＯＭＤＥＮ１を介してローカルネットワークに接続されているときにのみエネルギー貯蔵容量を提供する自動車の電気バッテリーのような移動可能な部分も含み得る。本発明の説明は、貯蔵容量ＭＳＬＤＥＮ１が時間的に変動するという点でのみ変更される。
【００４５】
説明の残りの部分では、事業者ＰＳＯが、ネットワークの唯一の電気供給者であり、ネットワークＤＥＮ１に単一の外部の発生源から電気を供給すると仮定される。事業者ＰＳＯは、前記発生源によって生成されたエネルギーをローカルネットワークまで運ぶ。貯蔵手段ＰＳＤＤＥＮ１に蓄えられるエネルギーは、出所が同じであり、すなわち、貯蔵手段ＰＳＤＤＥＮ１に蓄えられるエネルギーは、事業者ＰＳＯによって供給される。
【００４６】
エネルギー源は、例えば、核エネルギー発電所である。言うまでもなく、事業者ＰＳＯによって供給されるエネルギーは、いくつかの発生源によって同時に生成され得る。
【００４７】
エネルギー源および貯蔵手段ＰＳＤＤＥＮ１は、両方とも、切替え装置ＣＯＭＤＥＮ１を介してネットワークＤＥＮ１に接続され、切替え装置ＣＯＭＤＥＮ１は、以下によって構成され得る。
−  エネルギー貯蔵手段ＰＳＤＤＥＮ１のみが、エネルギー貯蔵手段ＰＳＤＤＥＮ１が含むエネルギーを切替え装置ＣＯＭＤＥＮ１を介してクライアントデバイスＤＣＬ１，１に供給する、図２ａに図示される第１のモード、または
−  事業者ＰＳＯが、切替え装置ＣＯＭＤＥＮ１を介してクライアントデバイスＤＣＬ１，１にエネルギーを供給し、同時に、貯蔵手段ＰＳＤＤＥＮ１にエネルギーを充填する（すなわち、エネルギーを供給する）、図２ｂに図示される第２のモード。
【００４８】
図１において、細線矢印は、情報の流れを表す。図２ａおよび２ｂにおいて、太線矢印は、エネルギーの流れを表す。
【００４９】
図２ａおよび２ｂにおいて、稲妻は、クライアントデバイスＤＣＬ１，１に供給するエネルギー源を表す。
【００５０】
以降では、ステーションＳＵＢが、時間を、１≦ｋ≦Ｋとして、好ましくは継続時間が同一である連続する期間Ｔｋに分割するものと考える。１組の期間Ｔｋは、時間周期Ｃｌを形成する。時間周期は、連続的、周期的であり、好ましくは同一であり、ここで、ｌは各時間サイクルＣｌを特定するインデックスである。本発明を易しく説明するために、２４時間に対応する継続時間を有する時間周期Ｃｌについて考える。時間周期Ｃｌは、Ｋ＝２４個の連続する期間Ｔ１、．．．、Ｔ２４に分割される。
【００５１】
ステーションＳＵＢが、１≦ｉ≦４として、図１のネットワークＤＥＮ１と同一の複数のローカルエネルギーネットワークＤＥＮｉにエネルギーを供給するように構成されており、ローカルネットワークが消費するエネルギーの累積のレベルと同じだけ高いエネルギーの累積のレベルをこれらの４つのネットワークＤＥＮｉに同時に供給することができない図３に示される状況のような状況を取り上げる。
【００５２】
上で説明されたように、各ローカルネットワークＤＥＮｉのエネルギー貯蔵手段ＰＳＤＤＥＮｉは、ネットワークＤＥＮｉの予備エネルギー源を構成する。この予備エネルギー源は、使い果たされない限り、事業者ＰＳＯによるエネルギーの直接供給の代わりに使用され得る。したがって、ステーションＳＵＢは、エネルギーの不足を防止するために、優先順位、つまり、ネットワークＤＥＮｉにエネルギーを供給する緊急性の順にエネルギーを直接供給されるようにネットワークＤＥＮｉをランク付けすることができる。
【００５３】
以降では、ローカルエネルギーネットワークへのエネルギー供給を管理するためのシステムおよび方法の２つの実施形態が、続けて示される。
【００５４】
第１の実施形態は、期間Ｔｋ＋１の継続時間全体のために、期間Ｔｋ＋１の始めに切替え装置にモードが割り振られる、簡単な切替え装置のモード制御を実装するという点で有利である。
【００５５】
第２の実施形態は、期間Ｔｋの終わりにエネルギー貯蔵手段ＰＳＤＤＥＮｉに蓄えられているエネルギーのレベルＣＳＬＤＥＮｉにしたがってローカルネットワークがランク付けされるので、削減された数の計算しか必要としないという点で有利である。以降、エネルギーのこのレベルは、ＣＳＬＤＥＮｉ，Ｔｋと表記される。
【００５６】
前半では、本発明の第１の実施形態が、図３に示されたシステムのために実施される図４の流れ図に基づいて説明される。
【００５７】
期間Ｔｋの終わりに、ステップＳ１において、ステーションＳＵＢが、貯蔵手段ＰＳＤＤＥＮｉに蓄えられたエネルギーの第１のレベルＣＳＬＤＥＮｉ，Ｔｋと、前記期間Ｔｋの間にクライアントデバイスＤＣＬＤＥＮｉによって消費されたエネルギーの第２のレベルＣＰＬＤＥＮｉ，Ｔｋとを受信し、１≦ｉ≦４である。この第１の実施形態においては、ステーションＳＵＢが、第１のモードおよび第２のモードのうちから、各切替え装置ＣＯＭＤＥＮｉが動作する設定モードＭＯＤＤＥＮｉ，Ｔｋを決定する。
【００５８】
エネルギーの第１のレベルＣＳＬＤＥＮｉ，Ｔｋは、好ましくは、各貯蔵手段ＰＳＤＤＥＮｉによって、貯蔵手段ＰＳＤＤＥＮｉが接続されているローカルネットワークＤＥＮｉの切替え装置ＣＯＭＤＥＮｉに届けられる。第１のレベルＣＳＬＤＥＮｉ，Ｔｋは、ステーションＳＵＢに直ちに中継される。図３に示された状況では、単一のエネルギー貯蔵手段ＰＳＤＤＥＮｉが、ローカルネットワークＤＥＮｉに接続されている。いくつかのエネルギー貯蔵手段がネットワークＤＥＮｉに接続されているとすれば、いくつかのエネルギー貯蔵手段のそれぞれがエネルギーの第１のレベルを送信し、そのとき、ローカルネットワークＤＥＮｉと交信があるステーションＳＵＢに送られることになるのは、これらのエネルギー貯蔵手段に蓄えられたエネルギーの異なるレベルを累積するエネルギーの第１のレベルである。
【００５９】
エネルギーの第２のレベルＣＰＬＤＥＮｉ，Ｔｋは、好ましくは、各切替え装置ＣＯＭＤＥＮｉからステーションＳＵＢに直接送信される。図３に示された状況では、単一のクライアントデバイスＤＣＬｉ，１が、ローカルネットワークＤＥＮｉに接続されており、おそらくエネルギーを消費する。複数のクライアントデバイスがネットワークＤＥＮｉに接続されているとすれば、デバイスＣＯＭＤＥＮｉは、これらの複数のクライアントデバイスによって消費されたエネルギーの異なるレベルを累積するエネルギーの第２のレベルをステーションＳＵＢに送信することになる。
【００６０】
ステップＳ１０において、ステーションＳＵＢが、期間Ｔｋ＋１の間に外部の発生源によってネットワークＤＥＮｉにエネルギーを供給する優先度を示す、すなわち、期間Ｔｋ＋１の間に切替え装置ＣＯＭＤＥＮｉが「ＣＨＡＲＧＥ」モードにされなければならない優先度を示す緊急性インデックスＥＩＤＥＮｉを決定する。したがって、各期間Ｔｋの終わりに、１から４までの間に含まれる各ｉに関して緊急性インデックスＥＩＤＥＮｉに値が割り振られる。
【００６１】
優先的に、そのような緊急性インデックスは、エネルギーの第１のレベルＣＳＬＤＥＮｉ，Ｔｋの形式で表される可能性がある。この場合、ローカルネットワークＤＥＮｉの（１つまたは複数の）エネルギー貯蔵手段に蓄えられたエネルギーのレベルが低ければ低いほど、ローカルネットワークＤＥＮｉの切替え装置ＣＯＭＤＥＮｉを「ＣＨＡＲＧＥ」モードにする緊急性が高くなる。
【００６２】
代替的に、緊急性インデックス（ＥＩＤＥＮｉ）は、マルコフ変調需要過程を仮定することによって決定される、期間Ｔｋ＋１の間にエネルギー貯蔵手段（ＰＳＤＤＥＮｉ）でエネルギーの不足が起こらない確率である。この場合、ローカルネットワークＤＥＮｉの（１つまたは複数の）エネルギー貯蔵手段でエネルギーの不足が起こらない確率が低ければ低いほど、ローカルネットワークＤＥＮｉの切替え装置ＣＯＭＤＥＮｉを「ＣＨＡＲＧＥ」モードにする緊急性が高くなる。
【００６３】
ステップＳ２０において、ステーションが、緊急性インデックスの昇順にローカルネットワークＤＥＮｉをランク付けする。表現を変えると、ステーションＳＵＢが、ＥＩ４＝Ｍａｘ（ＥＩＤＥＮｉ）１≦ｉ≦４、および１≦ｊ≦３に対してＥＩＨＤＥＮｊ≦ＥＩＨＤＥＮｊ＋１であるようにローカルネットワークの順序付きリストＨＤＥＮｊを構成する。順序付きリストＨＤＥＮｊは、緊急性の昇順に配列されたすべてのローカルネットワークＤＥＮｉを含む。
【００６４】
期間Ｔｋの間にステーションＳＵＢが供給することができるエネルギーのレベルが限られているためにすべてのローカルネットワークＤＥＮｉにエネルギーを同時に供給することができないとき、ステーションＳＵＢは、順序付きリストが２つの部分リストに分割されることを可能にするインデックスｊ＊を決定しなければならない。第１の部分リストは、順序付きリストＨＤＥＮｊでのランクｊが１からｊ＊までの間に含まれる、すなわち、１≦ｊ≦ｊ＊であるローカルネットワークをまとめる。第２の部分リストは、順序付きリストＨＤＥＮｊでのランクｊが１＊＋１から４までの間に含まれる、すなわち、ｊ＊＋１≦ｊ≦４であるローカルネットワークをまとめる。
【００６５】
ステーションＳＵＢは、期間Ｔｋの終わりに確定された順序付きリストから抽出された第１の部分リストの一部を形成するローカルネットワークに接続された切替え装置に対して、期間Ｔｋ＋１の間、「ＣＨＡＲＧＥ」モードを割り振る。
【００６６】
ステーションＳＵＢは、期間Ｔｋの終わりに確定された順序付きリストから抽出された第２の部分リストの一部を形成するローカルネットワークに接続された切替え装置に対して、期間Ｔｋ＋１の間、「ＤＲＡＩＮ」モードを割り振る。
【００６７】
この２つの部分から成る動作が、ステップＳ５０の間に実行される。
【００６８】
供給されることになるエネルギーのレベルの容量ＣＳＵＢが分かっているものとして、ｊ＊は、エネルギーのレベルＣＳＵＢが、ステーションＳＵＢが期間Ｔｋ＋１の間に順序付きリストＨＤＥＮｊの最初のｊ＊個の要素にエネルギーを供給するとした場合にステーションＳＵＢが供給することになる累積のエネルギーの第１のレベルと、ステーションＳＵＢが期間Ｔｋ＋１の間に順序付きリストＨＤＥＮｊの最初のｊ＊＋１個の要素にエネルギーを供給するとした場合にステーションＳＵＢが供給することになる累積のエネルギーの第２のレベルとの間に含まれるように探索される。
【００６９】
図４に示されるステップＳ３０およびＳ４０は、臨界インデックスｊ＊の決定の一例を構成する。
【００７０】
ステップＳ３０は、順序付きリストＨＤＥＮｊの最初のｍ個のローカルネットワークによって消費されるエネルギーのレベルの推定値に対応するエネルギーの累積のレベルＥ（ｍ）を推定する目的で、１≦ｊ≦４として、ローカルネットワークＨＤＥＮｊに接続された１つのクライアントデバイスまたは複数のクライアントデバイスの（将来の）消費
【００７１】
【数１】
2014512157.tif 000003
【００７２】
を評価することにある。Ｅ（ｍ）は、当然、関数
【００７３】
【数２】
2014512157.tif 000004
【００７４】
である。Ｅ（ｍ）は、ネットワークＨＤＥＮｊの切替え装置が「ＣＨＡＲＧＥ」モードであるとき、ネットワークＨＤＥＮｊに関連するエネルギー貯蔵手段に充填するために使用されるエネルギーのレベルの合計も含む。エネルギーのこのレベルは、
【００７５】
【数３】
2014512157.tif 000005
【００７６】
を超えることはできず、ここで、ＭＳＬＨＤＥＮｊは、ローカルネットワークＨＤＥＮｊに接続されたエネルギー貯蔵手段が含み得るエネルギーの最大のレベルである。ステーションＳＵＢと貯蔵手段とをつなぐ経路のエネルギーのレベルの転送量の限界、または貯蔵手段のエネルギーを蓄える速さに関連する限界がやはり存在するとき、期間Ｔｋ＋１の間にローカルネットワークＨＤＥＮｊに接続された貯蔵手段に転送可能なエネルギーの最大のレベルをＰＳＬＨＤＥＮｊ，Ｔｋと表記することとし、この状況においては、貯蔵手段に充填するために使用され得るエネルギーの最大のレベルは、
【００７７】
【数４】
2014512157.tif 000006
【００７８】
である。
【００７９】
したがって、Ｅ（ｍ）は、下の形式で表され得る。
【００８０】
【数５】
2014512157.tif 000007
【００８１】
図５の流れ図に示されるステップＳ４０は、臨界インデックスｊ＊を決定するための方法の一例に対応する。この方法は、Ｅ（ｊ＊）≦ＣＳＵＢ≦Ｅ（ｊ＊＋１）であるような、ここでは１から４までの間に含まれる最初の整数ｊ＊を探すことにある。
【００８２】
ステップＳ４１において、ステーションＳＵＢのために必要とされる累積のエネルギーのレベルが、ｊ＝１に対して初期化される。
【００８３】
ステップＳ４２において、現在のインデックスｊが、ＣＨＡＲＧＥモードにある最も大きな緊急性インデックスを有するｊ個の要素にステーションが供給することが可能であるような値であるかを調べるテストが実行される。
【００８４】
テストが肯定的である場合、ステップＳ４３において、現在のインデックスｊが１増やされ、最も大きな緊急性インデックスを有するｊ個の要素をＣＨＡＲＧＥモードにするために必要とされる累積のエネルギーのレベルが交信される。そして、ステップＳ４２でテストが繰り返される。
【００８５】
テストが否定的である場合、ステップＳ４４において、臨界インデックスｊ＊が、ｊ−１に等しくなるように選択される。
【００８６】
後半では、本発明の第２の実施形態が、図３に示されたシステムのために実施される図６の流れ図に基づいて説明される。
【００８７】
第２の実施形態のステップＳ１は、期間Ｔｋの終わりに貯蔵手段ＰＳＤＤＥＮｉに蓄えられたエネルギーの第１のレベルＣＳＬＤＥＮｉ，ＴｋのみがステーションＳＵＢで受信されるという点で第１の実施形態のステップＳ１と異なる。
【００８８】
第２の実施形態のステップＳ１０およびＳ２０は、第１の実施形態のステップＳ１０およびＳ２０と同じである。
【００８９】
第２の実施形態のステップＳ５１は、第１の実施形態のステップＳ５０と以下の点で区別される。
【００９０】
一時的に「ＣＨＡＲＧＥ」モードを割り振られるローカルネットワークのうちの１つの切替え装置ＣＯＭＤＥＮｉを除いて、すべてのローカルネットワークＤＥＮｉの切替え装置ＣＯＭＤＥＮｉに「ＤＲＡＩＮ」モードが割り振られる。「ＣＨＡＲＧＥ」モードのこの一時的な割り振りは、このローカルネットワークに関連するエネルギー手段に蓄えられたエネルギーのレベルがエネルギーの予め定義されたレベルＰＬＬＤＥＮｉに達するとき、例えば、エネルギーのレベルが最大のレベルＭＳＬＤＥＮｉに達するとき、すなわち、貯蔵手段の最大の容量に達するときに終わる。
【００９１】
エネルギーのレベルが閾値に達すると、ステーションＳＵＢは、切替え装置に「ＤＲＡＩＮ」モードを割り振り、新たな切替え装置に「ＣＨＡＲＧＥ」モードを一時的に割り振る。切替え装置が順に「ＣＨＡＲＧＥ」モードにされる順番は、ローカルネットワークＨＤＥＮｊが順序付きリスト内に現れる順番である。
【００９２】
言い換えると、最初は、ローカルネットワークＨＤＥＮ１の切替え装置が、ＣＨＡＲＧＥモードにされている唯一の切替え装置であり、次に、ネットワークＨＤＥＮｊに接続されたエネルギー貯蔵手段に蓄えられたエネルギーのレベルが期間Ｔｋ＋１が終わる前に閾値に達する場合、ローカルネットワークＨＤＥＮ１の切替え装置は、「ＤＲＡＩＮ」モードにされ、この動作が、期間Ｔｋ＋１が終わるまでローカルネットワークＨＤＥＮ２およびその他のローカルネットワークＨＤＥＮｊの切替え装置で繰り返される。
【００９３】
有利なことに、各エネルギー貯蔵手段は、前記エネルギー貯蔵手段に蓄えられたエネルギーのレベルが閾値に達したことを示す情報を、例えば、ローカルネットワークの切替え装置を経由してステーションＳＵＢに送信するための手段、またはエネルギー貯蔵手段に蓄えられたエネルギーのレベルを示す情報を、例えば、ローカルネットワークの切替え装置を経由してステーションＳＵＢにリアルタイムで送信するための手段のどちらかを備える。この場合、ステーションＳＵＢは、エネルギーのこのレベルが前記閾値に達するときに「ＣＨＡＲＧＥ」モードの割り振りを「ＤＲＡＩＮ」モードに変更するために前記情報を分析するための手段を備えていなければならない。
【００９４】
図７は、ｎ個のローカルエネルギーネットワークＤＥＮｉへのエネルギー供給を管理するためのステーションＳＵＢのアーキテクチャを示し、ここで、図３に示されるように、本発明の実施形態によれば、ｎ≧２および１≦ｉ≦ｎである。
【００９５】
本発明の実施形態によれば、ステーションＳＵＢは、
−  期間Ｔｋの終わりにエネルギー貯蔵手段ＰＳＤＤＥＮｉに蓄えられたエネルギーの第１のレベルＣＳＬＤＥＮｉ，Ｔｋを期間Ｔｋの終わりに受信するように構成された手段Ｍ１と、
−  前記第１のレベルＣＳＬＤＥＮｉ，Ｔｋを記憶するように構成された手段Ｍ２と、
−  各切替え装置ＣＯＭＤＥＮｉに対して、
○  エネルギー貯蔵手段ＰＳＤＤＥＮｉが前記ネットワークＤＥＮｉにエネルギーを供給する第１のモードＤＲＡＩＮ、または
○  ステーションＳＵＢが前記ネットワークＤＥＮｉおよび前記エネルギー貯蔵手段ＰＳＤＤＥＮｉにエネルギーを同時に供給する第２のモードＣＨＡＲＧＥ
を決定し、割り振るように構成された手段Ｍ３と
を備える。
【００９６】
有利なことに、手段Ｍ１は、期間Ｔｋの終わりに、前記期間Ｔｋの間にクライアントデバイスＤＣＬＤＥＮｉによって消費されたエネルギーの第２のレベルＣＰＬＤＥＮｉ，Ｔｋを受信するようにさらに構成され、手段Ｍ２は、前記第２のレベルＣＰＬＤＥＮｉ，Ｔｋを記憶するようにさらに構成される。
【００９７】
有利なことに、手段Ｍ３は、
期間Ｔｋの終わりに、期間Ｔｋ＋１のために切替え装置ＣＯＭＤＥＮｉに第２のモードＣＨＡＲＧＥを割り振る優先順位を定義する緊急性インデックスＥＩＤＥＮｉを決定するように構成された手段Ｍ３．１であって、前記緊急性インデックスＥＩＤＥＮｉは、ステーションＳＵＢに記憶されたネットワークＤＥＮｉに関連する前記第１のレベルＣＳＬＤＥＮ１，Ｔｋ、．．．、ＣＳＬＤＥＮｉ，Ｔｋ、．．．、ＣＳＬＤＥＮｎ，Ｔｋから決定される、手段Ｍ３．１と、
期間Ｔｋの終わりに、緊急性インデックスＥＩＤＥＮｉの昇順にローカルネットワークＤＥＮｉをランク付けし、１≦ｊ≦ｎとしてローカルネットワークＨＤＥＮｊの順序付きリストを構成するように構成された手段Ｍ３．２であって、前記順序付きリストの要素ＨＤＥＮｊは、１≦ｊ≦ｎ−１に対してＥＩＨＤＥＮｊ≦ＥＩＨＤＥＮｊ＋１であり、１≦ｉ≦ｎに対してＥＩＨＤＥＮＮ＝ＭａｘＥＩＤＥＮｉであるような緊急性インデックスＥＩＨＤＥＮｊを有する、手段Ｍ３．２と、
期間Ｔｋの終わりに、前の期間の間に蓄えられたエネルギーの第１のレベルＣＰＬｉ，Ｔｋから、期間Ｔｋ＋１の間のクライアントデバイスＤＣＬＤＥＮｊのエネルギー消費＜ＰＲＬＤＥＮｉ，Ｔｋ＋１＞を推定するように構成された手段Ｍ３．３と
を備える。
【００９８】
有利なことに、手段Ｍ３は、
−  期間Ｔｋの終わりに、期間Ｔｋ＋１の間のクライアントデバイスＤＣＬＤＥＮｉのエネルギー消費＜ＰＲＬＤＥＮｉ，Ｔｋ＋１＞の推定値から、ステーションＳＵＢが期間Ｔｋ＋１の間に順序付きリストＨＤＥＮｊの最初のｊ＊個のローカルネットワークに第２のモードＣＨＡＲＧＥを割り振るとした場合にステーションＳＵＢが供給することになる累積のエネルギーの第１のレベルと、ステーションＳＵＢが期間Ｔｋ＋１の間に順序付きリストＨＤＥＮｊの最初のｊ＊＋１個のローカルネットワークに第２のモードＣＨＡＲＧＥを割り振るとした場合にステーションＳＵＢが供給することになる累積のエネルギーの第２のレベルとの間にエネルギーのレベルＣＳＵＢが含まれるように臨界インデックス値ｊ＊を決定するように構成された手段Ｍ３．４と、
−  期間Ｔｋ＋１の間、順序付きリストＨＤＥＮｊの最初のｊ＊個のローカルネットワークの切替え装置に第２のモードＣＨＡＲＧＥを割り振り、順序付きリストＨＤＥＮｊの最後のｎ−ｊ＊個のローカルネットワークの切替え装置に第１のモードＤＲＡＩＮを割り振るように構成された手段Ｍ３．５と
も備える。
【００９９】
有利なことに、手段Ｍ３は、期間Ｔｋ＋１の間、順序付きリストＨＤＥＮｊのローカルネットワークのすべての切替え装置に第１のモードＤＲＡＩＮを割り振るように構成された手段Ｍ３．６をさらに備え、前記手段Ｍ３．６は、順序付きリストＨＤＥＮｊの順番で選択された第１のローカルネットワークの切替え装置に、ローカルネットワークのエネルギー貯蔵手段に蓄えられたエネルギーのレベルがエネルギーのレベルの閾値ＰＬＬＤＥＮｉに達するまで一時的に第２のモードＣＨＡＲＧＥを割り振るようにさらに構成される。
【０１００】
本発明が２つの特定の実施形態に関連して説明されたが、本発明は、まったく限定されず、説明された手段のすべての技術的な均等物を、それらが本発明の範囲内に入る場合、それらの組み合わせとともに含むことは明らかである。
【図４】
2014512157.tif 000008
【図５】
2014512157.tif 000009
【図６】
2014512157.tif 000010
【図７】
2014512157.tif 000011
【図１】
2014512157.tif 000012
【図２ａ】
2014512157.tif 000013
【図２ｂ】
2014512157.tif 000014
【図３】
2014512157.tif 000015
【国際調査報告】
2014512157.tif 000016
2014512157.tif 000017
2014512157.tif 000018
2014512157.tif 000019
2014512157.tif 000020
2014512157.tif 000021